(57)【要約】      （修正有）【課題】通常時においては照明として機能し、火災などの災害時には、的確な避難誘導を行うことができる誘導標識灯としての機能する照明機能付誘導標識灯を提供する。【解決手段】照明機能付誘導標識灯１０は、器具本体１００と、この器具本体１００内に設置される照明部２００と、災害検知装置５０と通信回線６０を介して接続された表示情報制御部３００と、器具本体１００に、照明部２００の光照射側に対向して設けられた光透過窓４００と、主電源が遮断された時に電力を供給する補助電源部５００から主に構成される。照明部２００の光源には、ＬＥＤランプ２０１が用いられる。【選択図】図４
2005148593.tif 000002
【特許請求の範囲】
【請求項１】
少なくとも一つの面に光透過窓を有する密閉可能な器具本体と；
前記器具本体内に前記光透過窓と対向して配置され、通常時には照明灯として機能し、災害時には誘導標識灯として機能するＬＥＤを光源とする照明装置と；
前記照明装置に電力を供給する電気ケーブルと；
を具備したことを特徴とする照明機能付誘導標識灯。
【請求項２】
前記照明装置の光源が、少なくとも白色および緑色の波長域の光を出射可能であり、前記照明灯として機能する場合には白色の波長域の光を出射し、前記誘導標識灯として機能する場合には白色および緑色の波長域の光を出射して所定の情報を表示することを特徴とする請求項１記載の照明機能付誘導標識灯。
【請求項３】
前記所定の情報が、少なくとも避難口または非常口の方向を示す情報であることを特徴とする請求項２記載の照明機能付誘導標識灯。
【請求項４】
前記所定の情報が、少なくとも避難口または非常口までの距離であることを特徴とする請求項２または３記載の照明機能付誘導標識灯。
【請求項５】
前記所定の情報を点滅表示可能なことを特徴とする請求項２乃至４のいずれか１項記載の照明機能付誘導標識灯。
【請求項６】
前記照明機能付誘導標識灯が、補助電源を内蔵したことを特徴とする請求項１乃至５のいずれか１項記載の照明機能付誘導標識灯。
【請求項７】
前記照明機能付誘導標識灯が、災害を検知する検知器の情報から災害発生場所を特定する災害検知装置の情報に基づいて、前記照明装置に表示すべく所定の情報を前記照明装置に出力する表示情報制御手段をさらに具備したことを特徴とする請求項１乃至６のいずれか１項記載の照明機能付誘導標識灯。
【発明の詳細な説明】
【技術分野】
【０００１】
本発明は、トンネル内において避難口や非常口の方向を示す矢印や、避難口または非常口までの距離などを示すために設けられる照明機能付誘導標識灯に関する。
【背景技術】
【０００２】
トンネル内で火災等の災害が発生した場合、トンネル内にいる者が速やかに避難口や非常口の設置位置を確認できるように、誘導標識灯がトンネル内に設置されている。
【０００３】
トンネル内に設置された従来の誘導標識灯においては、一般に、誘導標識灯の器具本体内に光源を備え、光源からの光の少なくとも一部を透過させる表示パネルを器具本体の道路に面した前面に取り付けた構成を有している。この表示パネルには、誘導に必要な表示内容を表す図形や文字が印刷され、さらに光源からの光を拡散させて輝度むらを低減するために白色塗料が印刷されている（例えば、特許文献１参照。）。そして、光源からの光を、器具本体の前面側に放射し、避難口や非常口の方向などに関する情報を表示するものであった。
【特許文献１】特開２００２−３０２９１６号公報
【発明の開示】
【発明が解決しようとする課題】
【０００４】
上記した従来のトンネル用の誘導標識灯は、常に、トンネル内部に設けられた非常口や避難口の方向を示したり、非常口や避難口までの距離を表示するものとして機能するのみで、災害時以外に、例えば、誘導標識を表示せずに、照明として機能する構成を備えるものがなかった。
【０００５】
また、従来のトンネル用の誘導標識灯において、火災が発生した場合に、例えば、火災により生じる煤煙にてトンネル内部の視界が不良になると、誘導標識灯を視認できなくなり、そうした状況では的確な避難誘導を行うことが困難になる事態も起こり得る。
【０００６】
また、従来のトンネル用の誘導標識灯は、単に避難口や非常口の方向や避難口や非常口までの距離を、それらが印刷された表示パネルを介して表示するのみである。例えば、従来のトンネル用の誘導標識灯には、避難口や非常口の方向を示す矢印が２方向示された誘導標識灯があり、この誘導標識灯において、一方の矢印に示された非常口や避難口までの距離が短い場合であっても、その最寄の非常口や避難口側が火災現場になっていることもある。そのため、避難する者がどちらの方向へ避難した方が安全であるかの判断がつかないという問題があった。
【０００７】
さらに、従来のトンネル用の誘導標識灯において、光源として蛍光ランプを備えた内照式の構成や、光源として冷陰極ランプを備えた導光式の構成を採るものでは、安定器などの部品が備えられるため、装置の重量や厚みが増加し、さらに消費電力が大きいという問題があった。また、災害時に電力供給ラインが断たれた場合には、各誘導標識灯に備えられた蓄電池などの非常用電源で電力を供給しなければならず、消費電力が大きい従来の誘導標識灯では、長時間光源を点灯させることができないという問題があった。
【０００８】
そこで、本発明では、上記したような課題を解決するために、通常時においては照明として機能し、火災などの災害時には、的確な避難誘導を行うことができる誘導標識灯としての機能する照明機能付誘導標識灯を提供すること目的とする。
【課題を解決するための手段】
【０００９】
請求項１記載の照明機能付誘導標識灯は、少なくとも一つの面に光透過窓を有する密閉可能な器具本体と；前記器具本体内に前記光透過窓と対向して配置され、通常時には照明灯として機能し、災害時には誘導標識灯として機能するＬＥＤを光源とする照明装置と；前記照明装置に電力を供給する電気ケーブルと；を具備したことを特徴とする。
【００１０】
請求項１記載の照明機能付誘導標識灯によれば、災害時以外には、照明として機能することができ、例えば、トンネルの壁部の上方に設置されたトンネル照明灯の補助照明として利用することができる。また、トンネル照明灯が点灯しない場合には、主たる照明器具として機能することができる。一方、災害時には、照明装置は、その機能を、白色光を発光する照明灯から、避難すべき非常口や避難口の方向や非常口や避難口までの距離を、例えば、緑色光などで表示する誘導標識灯に替えることができる。さらに、照明機能付誘導標識灯の照明装置では、例えば、避難すべき非常口や避難口の方向を示す矢印や非常口や避難口までの距離を示す数値などを明確に表示できる程度の解像度有するように、ＬＥＤがプリント基板上に密に配設される。
【００１１】
照明装置に用いられるＬＥＤは、例えば、複数の色の光を出射することができるタイプが好ましいが、例えば、予め設定された照明装置に表示する情報に対応させて、白色光または緑色光の波長域の光を出射するＬＥＤを配設してもよい。また、光源にＬＥＤを用いることによって、照明機能付誘導標識灯で消費される電力を大幅に削減することができ、さらに、照明機能付誘導標識灯の軽量化およびコンパクト化を図ることができる。また、光透過窓は、ＬＥＤから出射された光を透過し、外部に照射させるもので、例えば、強化ガラスなどで構成される。この光透過窓は、ＬＥＤから出射される波長の光に対して透過率の高い材料で構成されることが好ましい。
【００１２】
請求項２記載の照明機能付誘導標識灯は、請求項１記載の照明機能付誘導標識灯において、前記照明装置の光源が、少なくとも白色および緑色の波長域の光を出射可能であり、前記照明灯として機能する場合には白色の波長域の光を出射し、前記誘導標識灯として機能する場合には白色および緑色の波長域の光を出射して所定の情報を表示することを特徴とする。
【００１３】
請求項２記載の照明機能付誘導標識灯によれば、緑色の波長域の光を出射して所定の情報を表示することができるので、例えば、白煙中でも視認距離を比較的を長くとることができる。
【００１４】
請求項３記載の照明機能付誘導標識灯は、請求項２記載の照明機能付誘導標識灯において、前記所定の情報が、少なくとも避難口または非常口の方向を示す情報であることを特徴とする。
【００１５】
請求項３記載の照明機能付誘導標識灯によれば、方向を示す情報として、避難口または非常口の方向を矢印やピクトグラフ（絵文字）によって示すことができるので、的確な避難誘導を行うことができる。また、この矢印やピクトグラフは、白煙中でも視認距離を比較的を長くとることができる緑色の波長域の光で表示されることが好ましい。
【００１６】
請求項４記載の照明機能付誘導標識灯は、請求項２または３記載の照明機能付誘導標識灯において、前記所定の情報が、少なくとも避難口または非常口までの距離であることを特徴とする。
【００１７】
請求項４記載の照明機能付誘導標識灯によれば、避難口または非常口までの距離を示すことができるので、的確な避難誘導を行うことができる。また、この距離は、白煙中でも視認距離を比較的を長くとることができる緑色の波長域の光で表示されることが好ましい。
【００１８】
請求項５記載の照明機能付誘導標識灯は、請求項２乃至４のいずれか１項記載の照明機能付誘導標識灯において、前記所定の情報を点滅表示可能なことを特徴とする。
【００１９】
請求項５記載の照明機能付誘導標識灯によれば、避難口または非常口の方向や避難口または非常口までの距離などの所定の情報を点滅表示することができるので、避難者に照明機能付誘導標識灯の設置を把握させ、的確な避難誘導を行うことができる。
【００２０】
請求項６記載の照明機能付誘導標識灯は、請求項１乃至５のいずれか１項記載の照明機能付誘導標識灯において、前記照明機能付誘導標識灯が、補助電源を内蔵したことを特徴とする。
【００２１】
請求項６記載の照明機能付誘導標識灯によれば、照明機能付誘導標識灯に補助電源を備えることで、主電源が遮断されても電力を照明機能付誘導標識灯に供給することができる。この補助電源には、例えば、蓄電池などが用いられる。
【００２２】
請求項７記載の照明機能付誘導標識灯は、請求項１乃至６のいずれか１項記載の照明機能付誘導標識灯において、前記照明機能付誘導標識灯が、災害を検知する検知器の情報から災害発生場所を特定する災害検知装置の情報に基づいて、前記照明装置に表示すべく所定の情報を前記照明装置に出力する表示情報制御手段をさらに具備したことを特徴とする。
【００２３】
請求項７記載の照明機能付誘導標識灯によれば、災害を検知する検知器の情報から災害発生場所を特定する災害検知装置の情報に基づいて、照明装置に表示すべく所定の情報を照明装置に出力する表示情報制御手段を備えたことで、例えば、災害検知装置の情報に基づいて、災害発生に応じた避難すべき避難口または非常口の方向や避難口または非常口までの距離などの所定の情報を照明装置に表示することができる。また、これらの所定の情報は、災害検知装置から各照明機能付誘導標識灯毎に最適な情報が出力されるので、的確な避難誘導を行うことができる。
【発明の効果】
【００２４】
請求項１記載の照明機能付誘導標識灯によれば、災害時以外には、照明として機能することができ、例えば、トンネルの壁部の上方に設置されたトンネル照明灯の補助照明として利用することができる。また、トンネル照明灯が点灯しない場合には、主たる照明器具として機能することができる。一方、災害時には、照明装置は、その機能を、白色光を発光する照明灯から、避難すべき非常口や避難口の方向や非常口や避難口までの距離を、例えば、緑色光などで表示する誘導標識灯に替えることができる。さらに、光源にＬＥＤを用いることによって、照明機能付誘導標識灯で消費される電力を大幅に削減することができ、また、照明機能付誘導標識灯の軽量化およびコンパクト化を図ることができる。
【００２５】
請求項２記載の照明機能付誘導標識灯によれば、緑色の波長域の光を出射して所定の情報を表示することができるので、例えば、白煙中でも視認距離を比較的を長くとることができる。
【００２６】
請求項３記載の照明機能付誘導標識灯によれば、避難口または非常口の方向を矢印やピクトグラフによって示すことができるので、的確な避難誘導を行うことができる。
【００２７】
請求項４記載の照明機能付誘導標識灯によれば、避難口または非常口までの距離を示すことができるので、的確な避難誘導を行うことができる。
【００２８】
請求項５記載の照明機能付誘導標識灯によれば、避難口または非常口の方向や避難口または非常口までの距離などの所定の情報を点滅表示することができるので、避難者に照明機能付誘導標識灯の設置を把握させ、的確な避難誘導を行うことができる。
【００２９】
請求項６記載の照明機能付誘導標識灯によれば、照明機能付誘導標識灯に補助電源を備えることで、主電源が遮断されても電力を照明機能付誘導標識灯に供給することができる。
【００３０】
請求項７記載の照明機能付誘導標識灯によれば、災害検知装置の情報に基づいて、災害発生に応じた避難すべき避難口または非常口の方向や避難口または非常口までの距離などの所定の情報を照明装置に表示することができる。また、これらの所定の情報は、災害検知装置から各照明機能付誘導標識灯毎に最適な情報が出力されるので、的確な避難誘導を行うことができる。
【発明を実施するための最良の形態】
【００３１】
以下、本発明の一実施の形態を、図面に基づいて説明する。
【００３２】
図１は、本発明の一実施形態における照明機能付誘導標識灯１０が設置されたトンネル内の概略を示す図である。
【００３３】
トンネル内には、照明機能付誘導標識灯１０と、従来から照明装置として設置されているトンネル照明灯２０とが所定の間隔でトンネルの内壁に設置されている。また、各照明機能付誘導標識灯１０には、電源部３０に接続された電気ケーブル４０によって電力が供給される。さらに、各照明機能付誘導標識灯１０は、トンネル内の所定の位置に設置された、例えば、火災検知器などからの情報に基づいて、火災などの災害位置を特定する災害検知装置５０と通信回線６０を介して接続されている。ここで、電源部３０、災害検知装置５０は、例えば、トンネルの外部に設置された管理室などに配置される。    
【００３４】
この災害検知装置５０は、火災検知器などからの情報に基づいて、火災などの災害位置を特定し、その特定した情報に基づいて、避難すべき避難口または非常口の方向やその避難口または非常口までの距離などの情報を各照明機能付誘導標識灯１０に出力するものである。そして、各照明機能付誘導標識灯１０は、その情報に基づいて避難すべき避難口または非常口の方向やその避難口または非常口までの距離などを表示する。なお、災害検知装置５０は、各照明機能付誘導標識灯１０に情報を出力する以外にも、例えば、トンネル内に設置された消火栓装置や水噴霧ヘッドに加圧水を供給するポンプ設備、トンネル内の換気あるいは排煙を担うジェットファンを制御する換気設備などの制御をおこなうことも可能である。
【００３５】
続いて、照明機能付誘導標識灯１０について、図２〜４を参照して説明する。
図２は、照明機能付誘導標識灯１０が照明灯として機能する通常時における正面図を示し、図３は、照明機能付誘導標識灯１０が誘導標識灯として機能する災害時における正面図の一例を示す。また、図４には、図２に示した照明機能付誘導標識灯１０のＡ−Ａ断面図を示す。
【００３６】
照明機能付誘導標識灯１０は、筐体からなる器具本体１００と、この器具本体１００内に設置される照明部２００と、災害検知装置５０と通信回線６０を介して接続された表示情報制御手段として機能する表示情報制御部３００と、器具本体１００に、照明部２００の光照射側に対向して設けられた光透過窓４００と、主電源が遮断された時に電力を供給する補助電源として機能する補助電源部５００から主に構成されている。
【００３７】
器具本体１００は、例えば、ステンレスなどで形成され、防噴流型などの密閉構造で構成される。この防噴流型などの密閉構造で構成することで、周囲から水の直接噴流を受けても内部に入らない防水構造になっている。
【００３８】
この器具本体１００は、正面が開口された所定の厚さを有する矩形の筐体で構成された器具本体凹部１０１と、器具本体凹部１０１にヒンジ１０２により開閉可能に取り付けられた器具本体蓋部１０３とから主に構成されている。また、ヒンジ１０２が設けられた器具本体１００の反対側にはラッチ１０４が設置され、このラッチ１０４によって器具本体蓋部１０３が器具本体凹部１０１に閉塞された状態が保持される。器具本体蓋部１０３による閉塞縁はパッキンにより水気や粉塵が浸入しないような処理が施されている。
【００３９】
器具本体凹部１０１には、照明部２００が照明部固定板２０３に固定されている。この固定は、例えば、捩子などを用いて行う。ここで、照明部固定板２０３は、電気絶縁部材で構成されることが好ましい。また、照明部固定板２０３は、器具本体凹部１０１の内壁と、例えば、支持部材（図示しない）を介して所定の位置に固定されている。また、器具本体凹部１０１の、例えば、上下の側壁は、に貫通孔を有する接続部１０５が配設され、この接続部１０５を利用してトンネルの壁面などに照明機能付誘導標識灯１０を固定する。
【００４０】
また、器具本体蓋部１０３は、中央に矩形の開口部１０６を有し、さらに、器具本体蓋部１０３の器具本体凹部１０１側には、凹部１０７が形成されている。この凹部１０７には、器具本体凹部１０１に設けられたＬＥＤランプ２０１からの光を透過させる、例えば、強化ガラスなどで構成される光透過窓４００が嵌合される。この光透過窓４００は、パッキンなどを介して器具本体蓋部１０３と器具本体凹部１０１との間に挟着される。また、光透過窓４００は、器具本体蓋部１０３の凹部１０７に、例えば、シリコーン系等の接着剤により固着することもできる。なお、ここで使用される強化ガラスは、ＬＥＤランプ２０１から出射される波長の光に対して透過率の高い材料で構成されることが好ましい。
【００４１】
照明部２００は、プリント基板２０２と、プリント基板２０２上にプリント基板２０２の回路と電気的に接続され配設された複数のＬＥＤランプ２０１とから主に構成されている。また、プリント基板２０２には、器具本体凹部１０１の壁部の一部に設けられた貫通孔を介して器具本体凹部１０１内に導入された、電源部３０からの電力を供給する電気ケーブル４０が接続されている。なお、電気ケーブル４０を挿入後の電気ケーブル４０と貫通孔との隙間は、例えば、シリコーン系などの接着剤により閉じられる。電源部３０には、電源部３０に供給される、例えば、供給交流電圧が１００〜２４０Ｖの範囲で変動しても、整流および調整して、例えば、直流電圧１００Ｖの一定出力を電気ケーブル４０に供給することができる電源装置などが用いられる。
【００４２】
また、ＬＥＤランプ２０１は、例えば、図３に示すように、避難する方向を示す矢印、ピクトグラフ、避難する非常口や避難口までの距離を示す数値などが、明確に表示できる程度の解像度を有する程度に密にプリント基板２０２上に配設される。プリント基板２０２上に配設されるＬＥＤランプ２０１として、例えば、光の３原色を利用して１つのランプから複数の色の光を出射することができるタイプのＬＥＤランプを使用することが好ましいが、これに限るものではない。例えば、予め設定された照明部２００に表示する情報に対応させて、白色光または緑色光の波長域の光を出射するＬＥＤランプ２０１をプリント基板２０２上に配設してもよい。
【００４３】
ここで、避難する方向を示す矢印や距離を示す数値は、白煙中でも視認距離を比較的を長くとることができる緑色光で表示されるのが好ましく、この場合には、その周囲は白色光を用いる。また、１つのランプから複数の色の光を出射することができるタイプのＬＥＤランプを使用した場合において、例えば、トンネル内で黒煙霧が発生した場合には波長の短い波長域よりも、赤色の波長域が視認距離を延伸できるので、この場合には、避難する方向を示す矢印や距離を示す数値を赤色光で表示するようにしてもよい。なお、避難する方向を示す矢印や距離を示す数値を、所定の時間間隔で断続的に点灯させて表示してもよい。
【００４４】
表示情報制御部３００は、例えば、照明部固定板２０３の裏面側に固定され、この表示情報制御部３００には、器具本体凹部１０１の壁部の一部に設けられた貫通孔を介して器具本体凹部１０１内に導入された、災害検知装置５０からの通信回線６０が接続されている。なお、通信回線６０を挿入後の通信回線６０と貫通孔との隙間は、例えば、シリコーン系などの接着剤により閉じられる。
【００４５】
また、表示情報制御部３００は、プリント基板２０２に形成された電子回路と電気的に接続され、災害検知装置５０からの制御信号に基づいて、プリント基板２０２に形成された電子回路を介して、プリント基板２０２上に配設されたＬＥＤランプ２０１を制御する。
【００４６】
また、表示情報制御部３００は、入力部、演算部、記憶部、出力部などを有している。ここで、入力部には、災害検知装置５０からの制御信号などが入力される。記憶部には、例えば、災害検知装置５０からの制御信号に基づいて、各ＬＥＤランプ２０１を点灯または点滅させるための照射モードに対応したプログラムやデータなどが格納される。演算部は、記憶部に格納されたプログラムやデータなどを用いて各種の演算処理を行う。出力部では、演算部や記憶部の情報に基づいて、プリント基板２０２に形成された電子回路を介して各ＬＥＤランプ２０１に制御信号を出力する。
【００４７】
補助電源部５００は、主電源が遮断された時に電力を照明機能付誘導標識灯１０に供給するもので、例えば、蓄電池などが用いられる。
【００４８】
次に、照明機能付誘導標識灯１０の動作について説明する。
照明機能付誘導標識灯１０では、例えば、電源部３０から所定の直流電圧（例えば、１００Ｖ）が電気ケーブル４０を介してＬＥＤランプ２０１が配設されたプリント基板２０２に供給される。この際、ＬＥＤランプ２０１に必要な電圧は、９〜１２Ｖであるため、照明機能付誘導標識灯１０内に設けられた電圧調整器（図示しない）などによって、供給された電圧を９〜１２Ｖの電圧にしてプリント基板２０２に電力を供給する。
【００４９】
続いて、表示情報制御部３００は、災害検知装置５０からの制御信号の入力を検知しない通常時の場合には、照明機能付誘導標識灯１０を照明灯として機能させるために、ＬＥＤランプ２０１を白色光で点灯させる制御を行う。これによって、ＬＥＤランプ２０１は、白色光を出射し、照明機能付誘導標識灯１０が設置されたトンネル内を照らす。なお、通常時の場合においても、災害検知装置５０から通常制御を行う信号を出力し、その信号に基づいて、表示情報制御部３００は、照明機能付誘導標識灯１０を照明灯として機能させるための制御を行ってもよい。
【００５０】
一方、表示情報制御部３００は、災害検知装置５０から災害発生に伴う制御信号を入力した災害時の場合には、白色光を発光する照明灯としての機能から切替えて、照明機能付誘導標識灯１０を誘導標識灯として機能させるために、ＬＥＤランプ２０１に所定の情報を、所定の発光色で表示するための制御を行う。この制御によって、所定のＬＥＤランプ２０１は緑色光を出射して、避難すべき避難口や非常口の方向を示す矢印や、その避難口や非常口までの距離を示す数値など表示する。また、その緑色光で表示された矢印や数値などの周囲のＬＥＤランプ２０１からは白色光が出射される。ここで、電源部３０からの電力供給が遮断された場合には、照明機能付誘導標識灯１０内に備えられた補助電源部５００により電力が供給される。
【００５１】
ここで示される避難する方向を示す矢印や距離を示す数値などは、災害検知装置５０が災害発生現場と各照明機能付誘導標識灯１０が設置された位置とに基づいて制御信号を表示情報制御部３００に出力するので、的確な情報を各照明機能付誘導標識灯１０に表示することができる。
【００５２】
なお、ここでは、電源部３０から直流電圧が１００Ｖで供給される構成を示したが、例えば、電源部３０からＬＥＤランプ２０１に必要な直流電圧９〜１２Ｖを供給することも可能であり、この場合には、照明機能付誘導標識灯１０内に電圧調整器などは設ける必要がない。
【００５３】
上記した本発明の一実施の形態の照明機能付誘導標識灯１０によれば、災害時以外には、照明として機能することができ、例えば、トンネルの壁部の上方に設置されたトンネル照明灯２０の補助照明として利用することができる。また、トンネル照明灯２０が点灯しない場合には、主たる照明器具として機能することができる。一方、災害時には、照明部２００は、その機能を、白色光を発光する照明灯から、避難すべき非常口や避難口の方向や非常口や避難口までの距離を、例えば、緑色光などで表示する誘導標識灯に替えることができる。さらに、光源にＬＥＤランプ２０１を用いることによって、照明機能付誘導標識灯１０で消費される電力を大幅に削減することができ、また、照明機能付誘導標識灯１０の軽量化およびコンパクト化を図ることができる。
【００５４】
また、光源にＬＥＤランプ２０１を用いることによって、従来のトンネル照明灯２０に用いられる蛍光灯ランプなどに比べて寿命が長く、ランプ交換の頻度を削減することができる。
また、照明部２００は、緑色の波長域の光を出射して所定の情報を表示することができるので、例えば、白煙中でも視認距離を比較的を長くとることができる。これによって、的確な避難誘導を行うことができる。
【００５５】
さらに、照明機能付誘導標識灯１０は、補助電源としての補助電源部５００を照明機能付誘導標識灯に備えることで、主電源が遮断された場合であっても、照明機能付誘導標識灯１０に電力を供給することができ、照明機能付誘導標識灯１０を作動させることができる。
【００５６】
また、災害を検知する、例えば、火災検知器検知器の情報から災害発生場所を特定する災害検知装置５０の情報に基づいて、照明部２００に表示すべく所定の情報を照明部２００に出力する表示情報制御部３００を備えたことで、例えば、災害検知装置５０の情報に基づいて、災害発生に応じた避難すべき避難口または非常口の方向や避難口または非常口までの距離などの所定の情報を照明部２００に表示することができる。
また、これらの所定の情報は、災害検知装置５０から各照明機能付誘導標識灯１０毎に最適な情報が出力されるので、的確な避難誘導を行うことができる。
【図面の簡単な説明】
【００５７】
【図１】本発明の一実施形態における照明機能付誘導標識灯１０が設置されたトンネル内の概略を示す図。
【図２】照明機能付誘導標識灯が照明灯として機能する通常時における正面図。
【図３】照明機能付誘導標識灯が誘導標識灯として機能する災害時における正面図。
【図４】図２に示した照明機能付誘導標識灯のＡ−Ａ断面図。
【符号の説明】
【００５８】
１０…照明機能付誘導標識灯、２０…トンネル照明灯、３０…電源部、４０…電気ケーブル、５０…災害検知装置、６０…通信回線。
【図１】
2005148593.tif 000003
【図２】
2005148593.tif 000004
【図３】
2005148593.tif 000005
【図４】
2005148593.tif 000006